(57)【特許請求の範囲】
【請求項１】
電極および前記電極と極性の異なる電極を２枚のセパレータによって挟み込んで形成された袋詰電極を含むシート部材を積層するための積層装置であって、
前記シート部材を積層するためのテーブルと、
前記テーブルの上方から下降して前記シート部材を前記テーブル上に積層するハンドと、
前記テーブル上に積層された前記シート部材の積層体を上部から押圧するクランパと、
前記クランパを垂直移動および水平回転させるクランパ駆動部と、
前記シート部材の積層の進行に応じて、前記テーブルを前記クランパに対して相対的に下降させる調整部と、を備え、
前記クランパ駆動部は、前記クランパによって下方に押圧されている前記積層体上に新たなシート部材が積層された場合、前記クランパを回転させながら前記新たなシート部材の上方まで前記積層体の最終的な厚さよりも小さい移動量だけ上昇させてから下降させて前記新たなシート部材を上方から押圧し、
前記調整部は、前記積層体の最上面の高さが一定に維持されるように前記新たなシート部材の厚さの分、前記テーブルを下降させる、
ことを特徴とする積層装置。
【請求項２】
前記クランパの移動量は、略一定であることを特徴とする請求項１に記載の積層装置。
【請求項３】
前記調整部は、前記テーブルを下降させることを特徴とする請求項１または２に記載の積層装置。
【請求項４】
前記クランパの上面の横断面形状は、円弧形状であることを特徴とする請求項１〜３のいずれか１項に記載の積層装置。
【請求項５】
電極および前記電極と極性の異なる電極を２枚のセパレータによって挟み込んで形成された袋詰電極を含むシート部材を積層するための積層方法であって、
テーブル上に積層され、クランパにより上部から押圧されている前記シート部材の積層体上に、前記テーブルの上方から下降して前記シート部材を前記テーブル上に積層するハンドによって新たなシート部材を積層し、
前記クランパを回転させながら前記新たなシート部材の上方まで前記積層体の最終的な厚さよりも小さい移動量だけ上昇させてから下降させて前記新たなシート部材を上方から押圧し、
前記積層体の最上面の高さが一定に維持されるように前記新たなシート部材の厚さの分、前記テーブルを前記クランパに対して相対的に下降させることを特徴とする積層方法。
【請求項６】
前記クランパの移動量は、略一定であることを特徴とする請求項５に記載の積層方法。
【請求項７】
前記テーブルは、下降されることを特徴とする請求項５または６に記載の積層方法。
【請求項８】
前記クランパの上面の横断面形状は、円弧形状であることを特徴とする請求項５〜７のいずれか１項に記載の積層方法。
【発明の詳細な説明】
【技術分野】
【０００１】
本発明は、積層装置および積層方法に関する。
【背景技術】
【０００２】
近年、環境保護運動の高まりを背景として、電気自動車（ＥＶ）およびハイブリッド電気自動車（ＨＥＶ）の開発が進められている。これらのモータ駆動用電源として、繰り返し充放電可能なリチウムイオン二次電池が注目されている。
【０００３】
リチウムイオン二次電池は、シート状の正極と負極の間に電解質を含浸させたセパレータを介在させた単電池を複数積層して構成されており、製造工程において電極（正極／負極）およびセパレータが繰り返し積層される。
【０００４】
これに関連する技術として、電極およびセパレータの積層時の位置ずれを防止する見地から、下記の特許文献１に示すようなシート積層装置が提案されている。特許文献１に開示されているシート積層装置は、電極およびセパレータの積層体の縁部をクランパにより上部から押圧しつつ、吸着ハンドにより積層体の上部に電極およびセパレータを繰り返し積層するものである。クランパにより押圧されている積層体の上部に、吸着ハンドにより新たなシート部材（たとえば、セパレータ）が積層される場合、クランパは、上昇して新たなシート部材の上方に退避したのち、下降して新たなシート部材を押圧する。クランパは、常に一定の高さまで上昇するように構成されており、この高さは、積層工程の進行に伴う積層体の厚さ（高さ）の増加を考慮して、積層体の最終的な厚さ（積層体の完成厚さ）よりも大きい一定の値に設定されている。
【先行技術文献】
【特許文献】
【０００５】
【特許文献１】特開２００９−２０６０４６号公報（段落「００２７」）
【発明の概要】
【発明が解決しようとする課題】
【０００６】
しかしながら、上記のシート積層装置では、積層体の厚さが薄い積層工程の初期段階においては、積層体の上部に新たなシート部材が積層される場合、積層体に対してクランパが大きく上昇することになる。積層体に対してクランパが大きく上昇する場合、大きく上昇するクランパにより新たなシート部材の縁部が持ち上げられ、当該縁部が一時的に大きくめくれてしまい、好ましくない。
【０００７】
本発明は、上記の問題を解決するためになされたものである。したがって、本発明の目的は、複数枚のシート部材を積層する際に、シート部材に大きな変形を加えることなくシート部材を積層することができる積層装置および積層方法を提供することである。
【課題を解決するための手段】
【０００８】
本発明の上記目的は、下記の手段によって達成される。
【０００９】
本発明の積層装置は、電極および前記電極と極性の異なる電極を２枚のセパレータによって挟み込んで形成された袋詰電極を含むシート部材を積層するための積層装置であって、テーブル、ハンド、クランパ、クランパ駆動部、および調整部を有する。前記テーブルは、前記シート部材を積層するためのものである。前記ハンドは、前記テーブルの上方から下降して前記シート部材を前記テーブル上に積層する。前記クランパは、前記テーブル上に積層された前記シート部材の積層体を上部から押圧する。前記クランパ駆動部は、前記クランパを垂直移動および水平回転させる。前記調整部は、前記シート部材の積層の進行に応じて、前記テーブルを前記クランパに対して相対的に下降させる。また、前記クランパ駆動部は、前記クランパによって下方に押圧されている前記積層体上に新たなシート部材が積層された場合、前記クランパを回転させながら前記新たなシート部材の上方まで前記積層体の最終的な厚さよりも小さい移動量だけ上昇させてから下降させて前記新たなシート部材を上方から押圧し、前記調整部は、前記積層体の最上面の高さが一定に維持されるように前記新たなシート部材の厚さの分、前記テーブルを下降させる。
【００１０】
本発明の積層方法は、電極および前記電極と極性の異なる電極を２枚のセパレータによって挟み込んで形成された袋詰電極を含むシート部材を積層するための積層方法である。前記積層方法は、テーブル上に積層され、クランパにより上部から押圧されている前記シート部材の積層体上に、前記テーブルの上方から下降して前記シート部材を前記テーブル上に積層するハンドによって新たなシート部材を積層し、前記クランパを回転させながら前記新たなシート部材の上方まで前記積層体の最終的な厚さよりも小さい移動量だけ上昇させてから下降させて前記新たなシート部材を上方から押圧し、前記積層体の最上面の高さが一定に維持されるように前記新たなシート部材の厚さの分、前記テーブルを前記クランパに対して相対的に下降させる。
【発明の効果】
【００１１】
本発明によれば、シート部材の斜め上方に退避するクランパの上方への移動量が積層体の最終的な厚さよりも小さいため、クランパの移動量が積層体の最終的な厚さよりも大きい場合と比較して、シート部材に大きな変形を加えることなくシート部材を積層することができる。
【図面の簡単な説明】
【００１２】
【図１】リチウムイオン二次電池の外観を表した斜視図である。
【図２】リチウムイオン二次電池の分解斜視図である。
【図３】シート積層装置を示す概略平面図である。
【図４】シート積層装置を示す斜視図である。
【図５】図４の矢印方向に見た正極供給部の正面図である。
【図６】正極供給部の平面図である。
【図７】積層部の斜視図である。
【図８】積層ロボットの動作を説明するための図である。
【図９】図８に後続する図である。
【図１０】図９に後続する図である。
【図１１】図１０に後続する図である。
【図１２】図１１に後続する図である。
【図１３】図１２に後続する図である。
【図１４】積層部の動作を説明するための図である。
【図１５】図１４に後続する図である。
【図１６】図１５に後続する図である。
【図１７】図１６に後続する図である。
【図１８】図１７に後続する図である。
【図１９】図１８に後続する図である。
【図２０】クランパの変形例を示す斜視図である。
【発明を実施するための形態】
【００１３】
以下、添付の図面を参照して、本発明の実施形態を説明する。なお、図面の寸法比率は、説明の都合上誇張されており、実際の比率とは異なる場合がある。
【００１４】
まず、図１および図２を参照して、シート積層装置により形成されるリチウムイオン二次電池（積層型電池）について説明する。図１はリチウムイオン二次電池の外観を表した斜視図、図２はリチウムイオン二次電池の分解斜視図である。
【００１５】
図１に示すとおり、リチウムイオン二次電池１０は、扁平な矩形形状を有しており、正極リード１１および負極リード１２が外装材１３の同一端部から導出されている。外装材１３の内部には、充放電反応が進行する発電要素（電池要素）１５が収容されている。
【００１６】
図２に示すとおり、発電要素１５は、袋詰正極２０と負極３０とが交互に積層されて形成される。袋詰正極２０は、シート状の正極集電体の両面に正極活物質層が形成されてなる正極２２が、２枚のセパレータ４０により挟み込まれてなる。２枚のセパレータ４０は、端部において相互に接合されて袋状に形成されている。負極３０は、シート状の負極集電体の両面に負極活物質層が形成されてなる。なお、袋詰正極２０と負極３０とを交互に積層してリチウムイオン二次電池を製造する方法自体は、一般的なリチウムイオン二次電池の製造方法であるため、詳細な説明は省略する。
【００１７】
次に、上記の発電要素１５を組み立てるためのシート積層装置について説明する。
【００１８】
図３はシート積層装置を示す概略平面図、図４はシート積層装置を示す斜視図、図５は図４の矢印方向に見た正極供給部の正面図、図６は正極供給部の平面図である。
【００１９】
図３および図４に示すとおり、シート積層装置１００は、積層ロボット１１０、正極供給部１２０、負極供給部１３０、積層部１４０、および制御部１５０を有している。正極供給部１２０および負極供給部１３０は、積層ロボット１１０を中心として相互に対向する位置に配置されており、積層部１４０は、正極供給部１２０および負極供給部１３０と９０度の角度をなす位置に配置されている。積層ロボット１１０、正極供給部１２０、負極供給部１３０、および積層部１４０は、制御部１５０により制御される。
【００２０】
積層ロボット１１０は、袋詰正極２０および負極３０を交互に積層して発電要素（積層体）１５を形成する。積層ロボット１１０は、第１および第２アーム部１１１，１１２からなるＬ字状アーム１１３と、第１および第２アーム部１１１，１１２の先端部にそれぞれ設けられた第１および第２吸着ハンド１１４，１１５とを有する。第１および第２アーム部１１１，１１２は、駆動軸１１６を基準に互いに９０度の角度をなす方向に延設されている。Ｌ字状アーム１１３は、アーム駆動部１１７によって駆動軸１１６が駆動されることにより、水平方向に９０度揺動する。また、Ｌ字状アーム１１３は、駆動軸１１６が駆動されることにより昇降する。第１吸着ハンド１１４は、袋詰正極２０を吸着保持し、解放する。第２吸着ハンド１１５は、負極３０を吸着保持し、解放する。
【００２１】
Ｌ字状アーム１１３が９０度揺動することにより、第１吸着ハンド１１４は、正極供給部１２０と積層部１４０との間を往復移動し、第２吸着ハンド１１５は、積層部１４０と負極供給部１３０との間を往復移動する。言い換えれば、第１吸着ハンド１１４および第２吸着ハンド１１５が正極供給部１２０および積層部１４０の上方にそれぞれ位置する第１状態と、積層部１４０および負極供給部１３０の上方にそれぞれ位置する第２状態とが切り替えられる。また、Ｌ字状アーム１１３が昇降することにより、第１吸着ハンド１１４は、正極供給部１２０または積層部１４０に対して近接離隔し、第２吸着ハンド１１５は、負極供給部１３０または積層部１４０に対して近接離隔する。
【００２２】
正極供給部１２０は、袋詰正極２０を供給する。正極供給部１２０は、袋詰正極２０が載置される正極供給テーブル１２１と、正極供給テーブル１２１を水平面内で移動または回転させるテーブル駆動部１２２とを有する。正極供給テーブル１２１は、前工程で作成されて吸着コンベア１２３により搬送されてきた袋詰正極２０を１枚ずつ受け取り、載置する。正極供給テーブル１２１も吸着コンベアであり、吸着コンベア１２３からの負圧が開放された袋詰正極２０を吸着して、略中央まで運び負圧により固定する。袋詰正極２０が第１吸着ハンド１１４に吸着される際には、正極供給テーブル１２１は吸着を開放する。テーブル駆動部１２２は、正極供給テーブル１２１を水平面内で移動または回転させることにより、正極供給テーブル１２１上の袋詰正極２０の位置を調節する。テーブル駆動部１２２は、３つのモータを有し、正極供給テーブル１２１を水平面内で移動または回転させる。
【００２３】
正極供給テーブル１２１は、吸着コンベア１２３よりも幅が狭く、袋詰正極２０の端部がはみ出るように構成されている。図３および図４では図示を省略しているが、図５および図６に示すように、正極供給テーブル１２１の両側には、透明な支持台１２４が設けられている。支持台１２４は、正極供給テーブル１２１からはみ出ている袋詰正極２０の端部を支持する。また、支持台１２４と対応する位置に、クランパ１２５が設けられる。クランパ１２５は、支持台１２４と共に袋詰正極２０の端部を挟んで固定する。支持台１２４およびクランパ１２５は共に可動式であり、正極供給テーブル１２１上に袋詰正極２０が載置されると、袋詰正極２０の端部を支持および固定するように、袋詰正極２０に接近する。
【００２４】
また、正極供給テーブル１２１の下方には光源１２６が、上方にはカメラ１２７が配置されている。光源１２６は、透明な支持台１２４の下方に設置され、袋詰正極２０の端部に光を照射する。光源１２６は、セパレータ４０を所定の透過率以上で透過し、正極２２を透過しない（反射または吸収される）波長の光を照射する。カメラ１２７は、袋詰正極２０を撮像して、正極供給テーブル１２１上の正極２２（袋詰正極２０）の位置を認識する。カメラ１２７は、光源１２６から投光され正極２２に遮断されつつもセパレータ４０を透過した光を受光し、正極２２の位置を認識する。つまり、正極２２の影に基づいて、正極２２の位置を認識する。カメラ１２７により認識された正極２２の位置情報に基づいて、正極２２（袋詰正極２０）の水平位置が調整される。この調整により、第１吸着ハンド１１４は、正極２２の位置が正確に位置決めされた袋詰正極２０を毎回ピックアップできる。
【００２５】
図３および図４に戻って、負極供給部１３０は、負極３０を供給する。負極供給部１３０は、負極３０が載置される負極供給テーブル１３１と、負極供給テーブル１３１を水平面内で移動または回転させるテーブル駆動部１３２とを有する。負極供給テーブル１３１は、前工程で作成されて吸着コンベア１３３により搬送されてきた負極３０を１枚ずつ受け取り、載置する。負極供給テーブル１３１も吸着コンベアであり、吸着コンベア１３３からの負圧が開放された負極３０を吸着して、略中央まで運び負圧により固定する。負極３０が第２吸着ハンド１１５に吸着される際には、負極供給テーブル１３１は吸着を開放する。テーブル駆動部１３２は、負極供給テーブル１３１を水平面内で移動または回転させることにより、負極供給テーブル１３１上の負極３０の位置を調節する。テーブル駆動部１３２は、３つのモータを有し、負極供給テーブル１３１を水平面内で移動または回転させる。
【００２６】
また、負極供給テーブル１３１の上方には、光源１３６およびカメラ１３７が配置されている。光源１３６は、負極３０を透過しない（反射または吸収される）波長の光を、負極３０に照射する。カメラ１３７は、負極３０を撮像して、負極供給テーブル１３１上の負極３０の位置を認識する。カメラ１３７は、たとえば、光源１３６から投光されて負極３０で反射した光を受光して、負極３０の位置を認識する。カメラ１３７により認識された負極３０の位置情報に基づいて、負極３０の水平位置が調整される。この調整により、第２吸着ハンド１１５は、正確に位置決めされた負極３０を毎回ピックアップできる。
【００２７】
積層部１４０は、積層ロボット１１０により搬送される袋詰正極２０および負極３０を交互に積層する場所であり、袋詰正極２０および負極３０が所定枚数積層されるまで、袋詰正極２０と負極３０の積層体を保持する。袋詰正極２０および負極３０が所定枚数積層されて発電要素１５が完成すると、積層部１４０は、後工程に発電要素１５を供給する。
【００２８】
図７は、積層部の斜視図である。積層部１４０は、袋詰正極２０および負極３０が交互に積層される積層テーブル１４１と、積層テーブル１４１を昇降する高さ調整部１４２と、袋詰正極２０と負極３０の積層体を押圧するクランパ１４３と、クランパ１４３を駆動するクランパ駆動部１４４とを有する。
【００２９】
積層テーブル１４１上にはパレット（不図示）が載置され、パレット上で袋詰正極２０および負極３０が交互に積層される。高さ調整部１４２は、たとえば、ボールネジおよびモータから構成され、袋詰正極２０および負極３０の積層の進行に応じて、積層テーブル１４１を下降させる。高さ調整部１４２は、袋詰正極２０と負極３０の積層体の最上面の高さが略一定に維持されるように、積層テーブル１４１を下降させる。
【００３０】
クランパ１４３は、袋詰正極２０と負極３０の積層体を上部から押圧するクランプヘッド１４３ａと、クランプヘッド１４３ａを支持する支持軸１４３ｂとから構成される。クランプヘッド１４３ａの横断面は、台形形状を有する。クランプヘッド１４３ａは、支持軸１４３ｂを介して下方に付勢されており、底面により積層体の最上面を押圧する。
【００３１】
クランパ駆動部１４４は、支持軸１４３ｂを介して、クランプヘッド１４３ａを回動させつつ一定の高さまで上昇させる。そして、クランパ駆動部１４４は、１８０度回動後のクランプヘッド１４３ａを下降させる。クランパ駆動部１４４は、支持軸１４３ｂ側面の突出ピン（不図示）と係合してクランプヘッド１４３ａを回動させるとともに一定量上昇させるためのカム溝を備えるカム機構（不図示）と、支持軸１４３ｂを昇降するためのアクチュエータ（不図示）とを有する。アクチュエータは、たとえば、エアシリンダである。また、クランパ駆動部１４４には、クランプヘッド１４３ａを下方に付勢するためのバネ（不図示）が備えられている。
【００３２】
以上のとおり構成されるシート積層装置１００では、正極供給テーブル１２１および負極供給テーブル１３１上に載置される袋詰正極２０および負極３０が、積層ロボット１１０によりピックアップされ、積層テーブル１４１上に交互に搬送される。袋詰正極２０および負極３０が積層テーブル１４１上に交互に搬送されることにより、袋詰正極２０と負極３０の積層体が形成される。
【００３３】
なお、本実施形態では、第１および第２アーム部１１１，１１２は互いに９０度の角度をなす方向に延設され、アーム１１３は９０度揺動するように構成されている。しかしながら、第１および第２アーム部１１１，１１２は、９０度以外の所定角度をなすように延設され得る。この場合、アーム１１３も所定角度揺動するように構成され、正極供給部１２０、負極供給部１３０、および積層部１４０の配置も揺動角度に合わせて調整される。
【００３４】
次に、図８〜図１９を参照して、本実施形態のシート積層装置１００の動作について説明する。
【００３５】
まず、積層ロボット１１０の動作について説明する。図８〜図１３は、積層ロボット１１０による袋詰正極２０および負極３０の積層動作を説明するための図である。なお、以下では、積層ロボット１１０により袋詰正極２０を積層する段階からの動作を説明する。
【００３６】
図８に示すとおり、積層ロボット１１０により袋詰正極２０を積層する段階では、積層ロボット１１０の第１吸着ハンド１１４は、袋詰正極２０を吸着保持した状態で、積層テーブル１４１の上方に位置している。一方、積層ロボット１１０の第２吸着ハンド１１５は、負極供給テーブル１３１の上方に位置している。積層テーブル１４１上には、袋詰正極２０と負極３０が積層されている。負極供給テーブル１３１上には、負極３０が載置されている。負極供給テーブル１３１上の負極３０の水平位置は、第２吸着ハンド１１５が負極３０を正確な位置で吸着保持することができるように、カメラ１３７により取得された位置情報に基づいて調整されている。具体的には、負極３０の水平位置は、負極３０の中心点が所定の位置に位置し、負極３０が一定の姿勢となるように調整されている。
【００３７】
続いて、Ｌ字状アーム１１３が所定の移動量だけ下降する（図９参照）。Ｌ字状アーム１１３が下降することにより、第１および第２吸着ハンド１１４，１１５は、積層テーブル１４１および負極供給テーブル１３１の近傍にそれぞれ移動する。そして、第１吸着ハンド１１４の負圧は開放され、第１吸着ハンド１１４により吸着保持されていた袋詰正極２０が解放される。その結果、積層体の最上部に袋詰正極２０が積層される。一方、第２吸着ハンド１１５の底面には負圧が発生し、第２吸着ハンド１１５は、負極供給テーブル１３１上の負極３０を吸着保持する。負極供給テーブル１３１上の負極３０の水平位置は予め調整されているため、第２吸着ハンド１１５は、負極３０を正確な位置で吸着保持することができる。
【００３８】
続いて、Ｌ字状アーム１１３が上記移動量だけ上昇する（図１０参照）。Ｌ字状アーム１１３が上昇することにより、第１および第２吸着ハンド１１４，１１５は、積層テーブル１４１および負極供給テーブル１３１の上方にそれぞれ移動する。このとき、第２吸着ハンド１１５は、負極３０を吸着保持したまま上昇し、負極供給テーブル１３１から負極３０をピックアップする。
【００３９】
続いて、Ｌ字状アーム１１３が反時計方向に９０度回動する（図１１参照）。Ｌ字状アーム１１３が９０度回動することにより、第１および第２吸着ハンド１１４，１１５は、正極供給テーブル１２１および積層テーブル１４１の上方にそれぞれ移動する。第２吸着ハンド１１５は、負極３０を吸着保持している。また、正極供給テーブル１２１上には、袋詰正極２０が載置されている。正極供給テーブル１２１上の袋詰正極２０の水平位置は、第１吸着ハンド１１４が袋詰正極２０（正極２２）を正確な位置で吸着保持することができるように、カメラ１２７により取得された位置情報に基づいて調整されている。具体的には、袋詰正極２０の水平位置は、正極２２の中心点が所定の位置に位置し、正極２２が一定の姿勢となるように調整されている。
【００４０】
続いて、Ｌ字状アーム１１３が上記移動量だけ下降する（図１２参照）。Ｌ字状アーム１１３が下降することにより、第１および第２吸着ハンド１１４，１１５は、正極供給テーブル１２１および積層テーブル１４１の近傍にそれぞれ移動する。そして、第２吸着ハンド１１５の負圧は開放され、第２吸着ハンド１１５により吸着保持されていた負極３０が解放される。その結果、積層体の最上部に負極３０が積層される。一方、第１吸着ハンド１１４の底面には負圧が発生し、第１吸着ハンド１１４は、正極供給テーブル１２１上の袋詰正極２０を吸着保持する。正極供給テーブル１２１上の袋詰正極２０の水平位置は予め調整されているため、第１吸着ハンド１１４は、袋詰正極２０（正極２２）を正確な位置で吸着保持することができる。
【００４１】
続いて、Ｌ字状アーム１１３が上記移動量だけ上昇する（図１３参照）。Ｌ字状アーム１１３が上昇することにより、第１および第２吸着ハンド１１４，１１５は、正極供給テーブル１２１および積層テーブル１４１の上方にそれぞれ移動する。このとき、第１吸着ハンド１１４は、袋詰正極２０を吸着保持したまま上昇し、正極供給テーブル１２１から袋詰正極２０をピックアップする。
【００４２】
そして、Ｌ字状アーム１１３が時計方向に９０度回動する。Ｌ字状アーム１１３が９０度回動することにより、第１および第２吸着ハンド１１４，１１５は、積層テーブル１４１および負極供給テーブル１３１の上方にそれぞれ移動する（図８参照）。
【００４３】
上記の動作が繰り返されることにより、積層テーブル１４１上に袋詰正極２０および負極３０が交互に搬送され、積層テーブル１４１上で、袋詰正極２０および負極３０が交互に積層される。袋詰正極２０および負極３０が所定枚数積層されることにより、発電要素１５としての積層体が形成される。
【００４４】
このとき、第１および第２吸着ハンド１１４，１１５は、正極供給テーブル１２１および負極供給テーブル１３１上で位置が調整された袋詰正極２０および負極３０をピックアップして、積層テーブル１４１上の決まった位置で解放する。このような構成によれば、積層ロボット１１０のＬ字状アーム１１３の一定の揺動動作のみで、積層テーブル１４１上に袋詰正極２０および負極３０を高精度に積層することができる。つまり、簡単な構成の積層ロボット１１０によって、積層テーブル１４１上に袋詰正極２０および負極３０を高精度に積層することができる。また、袋詰正極２０および負極３０の水平方向の位置を調整するための機構を第１および第２アーム部１１１，１１２の先端部に設ける必要がなく、第１および第２アーム部１１１，１１２を軽量化できる。第１および第２アーム部１１１，１１２が軽量化することにより、第１および第２アーム部１１１，１１２を高速で移動させることが可能になる。したがって、袋詰正極２０と負極３０の積層を高速化できる。
【００４５】
次に、図１４〜図１９を参照して、積層部１４０の動作について説明する。積層部１４０では、積層テーブル１４１上に袋詰正極２０または負極３０が新たに積層される度に積層テーブル１４１が下降して、袋詰正極２０と負極３０の積層体の最上面の高さが略一定に維持される。なお、以下では、第１吸着ハンド１１４により、積層テーブル１４１上に袋詰正極２０を積層するときの積層部１４０の動作について説明する。
【００４６】
図１４は、袋詰正極が積層される直前の積層テーブルおよびクランパの状態を示す模式図である。積層テーブル１４１には、パレット１９０を介して、袋詰正極２０および負極３０が交互に積層されている。袋詰正極２０と負極３０の積層体の最上部には、負極３０が積層されており、負極３０の縁部は、クランプヘッド１４３ａの一端の底面により押圧されている。積層テーブル１４１の上方には、積層ロボット１１０の第１吸着ハンド１１４が位置しており、第１吸着ハンド１１４は、袋詰正極２０を吸着保持している。
【００４７】
続いて、第１吸着ハンド１１４が、積層テーブル１４１の近傍に下降する（図１５参照）。第１吸着ハンド１１４は、袋詰正極２０を吸着保持した状態で、所定の移動量だけ下降する。第１吸着ハンド１１４が下降することにより、積層体の最上部に袋詰正極２０が積層される。このとき、袋詰正極２０の縁部により、クランプヘッド１４３ａが覆われる（図１５の破線で囲まれた部分を参照）。
【００４８】
続いて、クランプヘッド１４３ａが上昇するとともに９０度回動する（図１６参照）。具体的には、袋詰正極２０の縁部により覆われていたクランプヘッド１４３ａが上昇するとともに９０度回動する。クランプヘッド１４３ａが上昇するとともに９０度回動することにより、クランプヘッド１４３ａは、最上部の袋詰正極２０の斜め上方に位置するようになる。ここで、クランプヘッド１４３ａの上昇量ΔＸは、１枚の袋詰正極２０の厚さよりも大きい略一定の値である。クランプヘッド１４３ａが上昇するとき、クランプヘッド１４３ａによって袋詰正極２０の縁部が持ち上げられる。クランプヘッド１４３ａによって持ち上げられることにより、袋詰正極２０の縁部は一時的にめくれ、元に戻る。
【００４９】
続いて、クランプヘッド１４３ａがさらに９０度回動する（図１７参照）。具体的には、クランプヘッド１４３ａは、さらに所定量だけ上昇しつつ９０度回動する。クランプヘッド１４３ａがさらに９０度回動することにより、クランプヘッド１４３ａの反対側の端部が、袋詰正極２０の上方に位置するようになる。なお、図１６および図１７に示される、クランプヘッド１４３ａが９０度回動し、さらに９０度回動する動作は連続的に行われる。
【００５０】
続いて、クランプヘッド１４３ａが下降する（図１８参照）。クランプヘッド１４３ａが下降することにより、クランプヘッド１４３ａの他端の底面が、袋詰正極２０の縁部を上部から押圧するようになる。
【００５１】
そして、第１吸着ハンド１１４が上昇するとともに、積層テーブル１４１が下降する（図１９参照）。第１吸着ハンド１１４が、上記移動量だけ上昇するとともに、積層テーブル１４１は、所定の下降量だけ下降する。具体的には、袋詰正極２０積層後の積層体の最上面の高さが、袋詰正極２０積層前の積層体の最上面の高さＨと略同一になるように、積層テーブル１４１が所定の下降量だけ下降する。ここで、下降量は、たとえば、袋詰正極２０および負極３０の厚さの平均値である。
【００５２】
以上のとおり、クランプヘッド１４３ａにより押圧されている積層体の上部に新たな袋詰正極２０（または、負極３０）が積層されれば、クランプヘッド１４３ａは、斜め上方に一度退避し、その後、新たな袋詰正極２０を押圧する。このとき、積層テーブル１４１は、積層体の最上面の高さが略一定に維持されるように、所定の下降量だけ下降する。積層テーブル１４１が下降して積層体の最上面の高さが略一定に維持されれば、袋詰正極２０および負極３０の積層の進行に応じて積層体の厚さが増加しても、クランプヘッド１４３ａの上昇量を積層体の最終的な厚さよりも小さい略一定の値に維持できる。たとえば、積層工程の最初から最後まで、クランプヘッド１４３ａの上昇量を袋詰正極２０の数枚分の厚さに維持することができる。したがって、クランパの上昇量が積層体の最終的な厚さよりも大きい場合と比較して、クランパ１４３の上昇動作に伴う袋詰正極２０および負極３０の縁部のめくれ度合いが低減する。すなわち、袋詰正極２０および負極３０に大きな変形を加えることなく袋詰正極２０および負極３０を積層することができる。
【００５３】
なお、本実施形態では、新たな袋詰正極２０が積層された場合、クランプヘッド１４３ａは１枚の袋詰正極２０の厚さよりも大きい略一定の値だけ上昇するとともに回動して、積層体の斜め上方に一度退避した後、下降して積層体の最上面を押圧している。しかしながら、本実施形態とは異なり、クランプヘッド１４３ａは１枚の袋詰正極２０の厚さ分だけ上昇するとともに回動して、積層体の斜め上方に一度退避した後、下降することなく回動して、積層体の最上面を押圧してもよい。
【００５４】
また、本実施形態の積層部１４０によれば、袋詰正極２０および負極３０が繰り返し積層される間、積層体の最上面の高さが略一定に維持されるため、第１および第２吸着ハンド１１４，１１５の鉛直方向の移動量（ストローク）を一定にすることができる。つまり、簡単な構成の積層ロボット１１０によって、積層テーブル１４１上に袋詰正極２０および負極３０を積層することができる。また、第１および第２吸着ハンド１１４，１１５の鉛直方向の位置を補正するための機構を第１および第２アーム部１１１，１１２の先端部に設ける必要がなく、第１および第２アーム部１１１，１１２を軽量化できる。第１および第２アーム部１１１，１１２が軽量化することにより、第１および第２アーム部１１１，１１２を高速で移動させることが可能になる。したがって、袋詰正極２０と負極３０の積層を高速化できる。
【００５５】
なお、本実施形態では、積層テーブル１４１は、積層体上に新たな袋詰正極２０または負極３０が積層される度に、袋詰正極２０および負極３０の厚さの平均値に相当する下降量だけ下降した。しかしながら、本実施形態とは異なり、積層テーブル１４１は、積層体上に新たな袋詰正極２０または負極３０が積層される度に、新たに積層された袋詰正極２０または負極３０の厚さと同じ量だけ下降してもよい。あるいは、積層テーブル１４１は、袋詰正極２０および負極３０が所定枚数（たとえば、各２枚）積層される度に下降してもよい。
【００５６】
なお、本明細書において、クランプヘッドの上昇量（移動量）が「略一定」であるという記載は、袋詰正極２０または負極３０の斜め上方に退避するクランプヘッド１４３ａの上昇量が常に一定である場合のみならず、上昇量が僅かに変動する場合も含む。たとえば、積層体上に新たな袋詰正極２０（または負極３０）が積層される度に、新たに積層された袋詰正極２０（または負極３０）の厚さと同じ量だけ積層テーブル１４１が下降する場合、クランプヘッド１４３ａの上昇量は常に一定に維持される。一方、積層テーブル１４１が、袋詰正極２０および負極３０の厚さの平均値に相当する下降量だけ下降する場合、クランプヘッド１４３ａの上昇量は、上記平均値と袋詰正極２０の厚さとの差、および、上記平均値と負極３０の厚さとの差に相当する量だけ変動する。本明細書において、クランプヘッドの上昇量が「略一定」であるという記載は、積層テーブル１４１の下降動作に応じて、上記のようにクランプヘッド１４３ａの上昇量が僅かに変動する場合を含む。
【００５７】
次に、図２０を参照して、クランパの変形例について説明する。
【００５８】
図２０は、クランパの変形例を示す斜視図である。図２０に示すとおり、変形例に係るクランパ１４３は、横断面円弧状のクランプヘッド１４３ａを有している。具体的には、袋詰正極２０および負極３０の底面とそれぞれ接触するクランプヘッド１４３ａの上面が、長手方向に沿って円弧状に形成されている。
【００５９】
このような構成によれば、袋詰正極２０または負極３０の底面とクランプヘッド１４３ａの上面との接触が滑らかになり、クランプヘッド１４３ａの上昇時にクランプヘッド１４３ａの上面が袋詰正極２０または負極３０の底面に与えるダメージを抑制できる。
【００６０】
なお、好ましくは、クランプヘッド１４３ａの上面は、長手方向のみならず長手方向に直交する方向に沿っても円弧状に形成される。
【００６１】
以上のとおり、説明した本実施形態は、以下の効果を奏する。
【００６２】
（ａ）袋詰正極または負極の斜め上方に退避するクランパの上昇量が積層体の最終的な厚さよりも小さいため、上昇量が積層体の最終的な厚さよりも大きい場合と比較して、袋詰正極または負極に大きな変形を加えることなく袋詰正極または負極を積層できる。
【００６３】
（ｂ）クランパの移動量が略一定であるため、袋詰正極および負極に与える影響も一定になり、安定した発電要素を提供することができる。
【００６４】
（ｃ）高さ調整部により積層テーブルを下降するため、クランパ駆動部の高さを調整する必要がなく、積層部の構成を簡素化できる。
【００６５】
（ｄ）クランプヘッドの横断面形状が円弧形状を有するため、クランパの上昇時にクランパが袋詰正極および負極の底面に与えるダメージを抑制できる。
【００６６】
以上のとおり、説明した実施形態において、本発明の積層装置および積層方法を説明した。しかしながら、本発明は、その技術思想の範囲内において当業者が適宜に追加、変形、および省略することができることはいうまでもない。
【００６７】
たとえば、上述した実施形態では、正極がセパレータに挟み込まれてなる袋詰正極と、負極とを交互に積層する場合を例に挙げて説明した。しかしながら、負極がセパレータに挟み込まれてなる袋詰負極と正極とが交互に積層されてもよい。あるいは、正極上にセパレータが積層されたセパレータ−正極積層体と、負極上にセパレータが積層されたセパレータ−負極積層体とが交互に積層されてもよい。
【００６８】
また、本発明の積層装置により形成される二次電池も、外装材の同一の端部から正極リードおよび負極リードが導出される形態に限定されるものではなく、たとえば、外装材の両端から正極リードおよび負極リードがそれぞれ導出される形態の二次電池であってもよい。
【符号の説明】
【００６９】
１０  リチウムイオン二次電池、
２０  袋詰正極（シート部材）、
２２  正極、
３０  負極（シート部材）、
４０  セパレータ、
１００  シート積層装置、
１１０  積層ロボット、
１１１，１１２  アーム部、
１１３  Ｌ字状アーム、
１１４，１１５  吸着ハンド、
１１６  駆動軸、
１１７  アーム駆動部、
１２０  正極供給部、
１２１  正極供給テーブル、
１２２，１３２  テーブル駆動部、
１２６，１３６  光源、
１２７，１３７  カメラ、
１３０  負極供給部、
１３１  負極供給テーブル、
１４０  積層部（積層装置）、
１４１  積層テーブル（テーブル）、
１４２  高さ調整部（調整部）、
１４３  クランパ、
１４４  クランパ駆動部（駆動部）。
【図１】
0005997877.tif 000002
【図３】
0005997877.tif 000003
【図４】
0005997877.tif 000004
【図５】
0005997877.tif 000005
【図６】
0005997877.tif 000006
【図７】
0005997877.tif 000007
【図８】
0005997877.tif 000008
【図９】
0005997877.tif 000009
【図１０】
0005997877.tif 000010
【図１１】
0005997877.tif 000011
【図１２】
0005997877.tif 000012
【図１３】
0005997877.tif 000013
【図１４】
0005997877.tif 000014
【図１５】
0005997877.tif 000015
【図１６】
0005997877.tif 000016
【図１７】
0005997877.tif 000017
【図１８】
0005997877.tif 000018
【図１９】
0005997877.tif 000019
【図２０】
0005997877.tif 000020
【図２】
0005997877.tif 000021